(57)【要約】【課題】捕獲された虫や捕虫器が床面へ落下することを防止できるようにすること。【解決手段】捕虫器１０は、帯状をなす基材シート１６Ａの一方の面に接着剤層１６Ｂが積層された捕虫シート１６に虫を接着して捕獲可能に設けられ、支持装置１１によって支持される。支持装置１１は、捕虫器１０を吊り下げるためのワイヤ６１と、このワイヤ６１を巻き取り及び繰り出しして捕虫器１０を昇降させる昇降手段６２と、この昇降手段６２によりワイヤ６１を巻き取ったときに床面から離れて位置する捕虫器１０の下方に設けられる受け部材６３とを備えている。受け部材６３は、捕虫器１０の落下を規制可能に設けられ、且つ、捕虫シート１６から落下した虫を受け止め可能に設けられる。【選択図】図２
2011160699.tif 000002
【特許請求の範囲】
【請求項１】
虫を捕獲する捕虫器を支持するための捕虫器の支持装置において、
床面から離れた使用位置に配置された前記捕虫器の下方に設けられた受け部材を備え、
前記受け部材は、使用位置に配置された前記捕虫器の落下を規制可能に設けられ、且つ、前記捕虫器から落下した虫を受け止め可能に設けられていることを特徴とする捕虫器の支持装置。
【請求項２】
前記捕虫器を吊り下げるための吊持部材を出し入れすることによって当該捕虫器を前記使用位置に配置可能な昇降手段を備えていることを特徴とする請求項１記載の捕虫器の支持装置。
【請求項３】
前記昇降手段は、前記受け部材を迂回させて前記捕虫器を昇降させる迂回手段を備えていることを特徴とする請求項２記載の捕虫器の支持装置。
【発明の詳細な説明】
【技術分野】
【０００１】
本発明は、捕虫器の支持装置に係り、更に詳しくは、高所に捕虫器を支持することができる捕虫器の支持装置に関する。
【背景技術】
【０００２】
従来より、例えば、食品や粘着シート、精密機械等の製品に虫が混入することを防止するために捕虫器が利用され、かかる捕虫器としては、例えば、特許文献１に開示されている。特許文献１の捕虫器は、ハウジング内に設けられて虫を誘引する光源及び粘着シートを備え、ワイヤにより吊持されている。ワイヤは、ワイヤ巻取装置によって巻き取り及び繰り出しされる。捕虫を行う場合、ワイヤ巻取装置によってワイヤを巻き取り、捕虫器を高所に配置する。一方、粘着シートの交換を行う場合、ワイヤ巻取装置によってワイヤを繰り出して捕虫器を下降させ、作業者が高所に登ることなく作業を行えるようになっている。
【先行技術文献】
【特許文献】
【０００３】
【特許文献１】実用新案登録第３１５１４８０号公報
【発明の概要】
【発明が解決しようとする課題】
【０００４】
しかしながら、特許文献１にあっては、ワイヤが経時劣化等に起因して切断してしまうと、捕虫器が床面に落下してしまうという危険性を有している、という不都合ある。また、捕虫シートに一旦接着した虫が落下すると、虫の死骸だけでなく、虫に付着した接着剤によって床面を汚染する、という不都合も招来する。
【０００５】
［発明の目的］
本発明の目的は、捕虫器自体やこの捕虫器によって捕獲された虫が床面へ落下することを防止することができる捕虫器の支持装置を提供することにある。
【課題を解決するための手段】
【０００６】
前記目的を達成するため、本発明は、虫を捕獲する捕虫器を支持するための捕虫器の支持装置において、
床面から離れた使用位置に配置された前記捕虫器の下方に設けられた受け部材を備え、
前記受け部材は、使用位置に配置された前記捕虫器の落下を規制可能に設けられ、且つ、前記捕虫器から落下した虫を受け止め可能に設けられる、という構成を採っている。
【０００７】
本発明において、前記捕虫器を吊り下げるための吊持部材を出し入れすることによって当該捕虫器を前記使用位置に配置可能な昇降手段を備える、という構成を採ることが好ましい。
【０００８】
また、前記昇降手段は、前記受け部材を迂回させて前記捕虫器を昇降させる迂回手段を備える、という構成も好ましくは採用される。
【発明の効果】
【０００９】
本発明によれば、捕虫器自体や、捕虫シートに接着した虫が落下した場合であっても、受け部材によって受け止められるため、捕虫器の落下による危険性を抑制することができる上、捕虫した虫が落下することによる床面の汚染を抑制することができる。
【００１０】
また、昇降手段を備えたことで、捕虫器の使用位置が高所であった場合でも、当該捕虫器を容易に使用位置に配置することができる。
【００１１】
更に、迂回手段を備えているので、受け部材を取り外すことなく捕虫器を高所から下降させることができる。しかも、捕虫器が受け部材に接触して汚れることを防止することも可能となる。
【図面の簡単な説明】
【００１２】
【図１】実施形態に係る支持装置が捕虫器を支持した状態の概略正面図。
【図２】捕虫器の内部構造の説明図。
【図３】図１の左側面図。
【図４】第１変形例を示す部分概略正面図。
【図５】第２変形例を示す図３と同様の左側面図。
【発明を実施するための形態】
【００１３】
以下、本発明の実施の形態について図面を参照しながら説明する。
なお、本明細書及び特許請求の範囲において、「床面」とは、捕虫器を屋外で用いた際の地面を含む概念として用いる。また、特に明示しない限り、「上」、「下」、「右」、「左」は、図１を基準として用いる。
【００１４】
図１〜図３において、実施形態に係る捕虫器１０は、支持装置１１を介して壁面Ｗに支持され、床面（図示省略）から離れた天井Ｃ付近の高所に配置されて使用される。
【００１５】
前記捕虫器１０は、箱状に形成されたフレーム体１４と、このフレーム体１４の内部に設けられ、例えば紫外線を発光可能な蛍光灯により構成された虫を誘引する誘引手段１５と、この誘引手段１５の近傍に繰り出される帯状の捕虫シート１６と、この捕虫シート１６を繰り出し可能に支持する支持軸２７と、モータ４３によって駆動されて捕虫シート１６を巻き取る巻取軸３７とを備えて構成されている。フレーム体１４は、開口１４Ａを有する一対の側面部１４Ｂと、各側面部１４Ｂの上端側に連設される頂面部１４Ｃと、各側面部１４Ｂの下端側に連設される底面部１４Ｄと、各側面部１４Ｂの左右両側に連設される側面部１４Ｅとを備えている。頂面部１４Ｃの内面には、Ｖ字状の反射板２３が設けられている。捕虫シート１６は、帯状をなす基材シート１６Ａの一方の面に接着剤層１６Ｂが積層され、接着剤層１６Ｂに剥離シート１６Ｃが仮着されている。そして、捕虫シート１６は、支持軸２７から図２中上下の開口１４Ａから接着剤層１６Ｂが露出するように繰り出され、巻取軸３７に巻き取られるように掛け回されている。なお、剥離シート１６Ｃは、ローラ３４によって剥離されて巻取軸３７に巻き取られる。また、モータ４３は、図示しないリモコン等の操作手段によって駆動と停止が可能に設けられている。
【００１６】
前記支持装置１１は、捕虫器１０を吊り下げるための吊持部材としての２本ワイヤ６１を出し入れすることによって捕虫器１０を昇降可能に設けられた昇降手段６２と、捕虫器１０の直下近傍であって床面（図示省略）から離れて位置する受け部材６３とを備えて構成されている。各ワイヤ６１の一端側は、取付部材６５を介してフレーム体１４の側面部１４Ｅに取り付けられ、取付部材６５は、図３中矢印ｒ方向に捕虫器１０と相対回転可能に設けられている。
【００１７】
前記昇降手段６２は、天井Ｃ付近の壁面Ｗに取り付けられるフレームＦに設けられた一対のブラケット７０と、これらブラケット７０に対して回転可能に支持されたシャフト７１と、図示しない操作手段によって駆動と停止が可能に設けられるとともに、シャフト７１を回転可能に設けられた昇降用モータ７２と、シャフト７１に連結されてワイヤ６１が巻回される一対のリール７４と、ブラケット７０の上方でフレームＦに回転可能に取り付けられ、リール７４と取付部材６５との間のワイヤ６１が掛け回されるプーリ７５と、フレームＦに設けられた迂回手段７６とを備えている。
【００１８】
前記迂回手段７６は、フレームＦの下方の左右両側にそれぞれ設けられた突起部Ｆ１に回転可能に支持された回転軸７９と、この回転軸７９に固定された一対のアーム部８０とを備えている。突起部Ｆ１には、受け部材６３を出し入れ可能に支持する凹部Ｆ１Ａと、アーム部８０の回転を抑制するストッパＦ１Ｂとが設けられている。回転軸７９は、図示しない付勢手段により図３の矢印Ａ方向に常時付勢されている。各アーム部８０の先端側には、穴８０Ａが形成され、この穴８０Ａにプーリ７５から取付部材６５に延びるワイヤ６１が挿通される。各アーム部８０は、図３中実線で示す起立姿勢と、ストッパ７８Ｂによって回転抑制された同図中二点鎖線で示す倒伏姿勢との間で回転可能に設けられている。これにより捕虫器１０は、プーリ７５でワイヤ６１を巻き取ることによって、取付部材６５に押された各アーム部８０が付勢手段の付勢力に抗して起立姿勢となり、図３中実線で示される使用位置Ｐ１に配置される。また、捕虫器１０は、プーリ７５からワイヤ６１が巻き出されることで、各アーム部８０が付勢手段の付勢力によって倒伏姿勢となり、迂回位置Ｐ２を経て下降位置Ｐ３に配置される。なお、捕虫器１０は、重心が下方となるように設けられているため、アーム部８０が回転しても取付部材６５の回転によって常に底面部１４Ｄが下方に位置するようになっている。
【００１９】
前記受け部材６３は、図３中右側が上向きとなる屈曲形状に形成されている。また、受け部材６３は、捕虫器１０が使用位置Ｐ１に配置された状態において、捕虫器１０の両側面部１４Ｂの幅よりも図３中左右方向に幅広に設けられている。
【００２０】
前記捕虫器１０は、使用位置Ｐ１に配置された状態で、誘引手段１５を発光させると、その光は、捕虫シート１６を透過して外部に発せられる。その光に誘引されて飛来した虫は、捕虫シート１６に接着されて捕獲される。そして、所定期間が経過する毎にモータ４３を駆動して捕虫シート１６を順次繰り出し、この繰出動作が繰り返し行われることで、捕虫シート１６が使い切られ、当該捕虫シート１６の交換時期となる。
【００２１】
上記のように捕虫シート１６の交換時期となると、巻取軸３７に巻き取られた捕虫シート１６の回収や新しい捕虫シート１６をセットすべく、図示しない操作手段によって昇降用モータ７２を駆動してリール７４からワイヤ６１を繰り出し、捕虫器１０を下降させる。このワイヤ６１の繰り出しによって、捕虫器１０は、迂回位置Ｐ２を経て下降し、床面上の作業者が作業し得る下降位置Ｐ３まで下降する。
【００２２】
前記下降位置Ｐ３で捕虫シート１６の交換が完了すると、昇降用モータ７２を駆動させてリール７４でワイヤ６１を巻き取り、捕虫器１０を上昇させる。このワイヤ６１の巻き取りによって、捕虫器１０は、下降位置Ｐ３から迂回位置Ｐ２を経て、図示しないセンサによってアーム部８０が起立姿勢となったことが検知されると、昇降用モータ７２の駆動が停止し、捕虫器１０が使用位置Ｐ１に配置されることとなる。
【００２３】
ここで、捕虫器１０が使用位置Ｐ１に配置された状態で、ワイヤ６１の切断等により落下しても、受け部材６３上によって当該捕虫器１０が下方へ落下することを防止することができる。また、捕虫シート１６で捕獲された虫が落下しても、受け部材６３によって受け止められ、虫の死骸や接着剤によって床面が汚染されることを回避することができる。
【００２４】
従って、このような実施形態によれば、捕虫器１０が落下する危険性や、捕虫シート１６で捕獲した虫が落下して床面を汚染するといった不都合を未然に防ぐことができる。
また、迂回手段７６を備えているので、受け部材６３を取り外すことなく捕虫器１０を使用位置Ｐ１から下降位置Ｐ３に下降させることができる。
【００２５】
以上のように、本発明を実施するための最良の構成、方法等は、前記記載で開示されているが、本発明は、これに限定されるものではない。
すなわち、本発明は、主に特定の実施形態に関して特に図示、説明されているが、本発明の技術的思想及び目的の範囲から逸脱することなく、以上説明した実施形態に対し、形状、位置若しくは配置等に関し、必要に応じて当業者が様々な変更を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００２６】
例えば、捕虫器１０は、捕虫シート１６を用いて虫を捕獲するもの以外に、例えば、特開２００９−２３２７３４に示されるような電撃によって捕獲するもの、実公平７−６７７８に示されるような捕虫袋によって捕獲するもの、特開２００３−６１５４０に示されるような泡によって捕獲するもの等、公知の捕虫器を使用することができる。
更に、吊持部材は、ワイヤ６１以外にチェイン、ばね鋼板、更に紐状部材や帯状部材等、種々の変更が可能である。
【００２７】
また、前記実施形態の昇降用モータ７２の代わりに、図４に示されるように、シャフト７１を回転させるウォームホイール９０と、このウォームホイール９０を回転させるウォーム９１とを採用してもよい。この場合、ウォーム９１の下端側に設けられたリング部９３にフック部８６を有する操作棒８７を掛け、当該操作棒８７を介してウォーム９１、ウォームホイール９０を回転させて捕虫器１０を昇降させることができる。この場合、フック部８６やリング部９３は、図示構成例に限られるものでなく、相互に係合して操作棒８７の操作によりウォーム９１やウォームホイール９０の回転を行える限りにおいて、種々の設計変更が可能である。
【００２８】
更に、前記迂回手段７６は、種々の設計変更が可能であり、例えば、図５に示される構成に代替することができる。同図において、迂回手段７６は、プーリ７５の装着位置付近でフレームＦから図中右方向に延設された支持アーム９７と、この支持アーム９７の先端側に設けられるとともに、プーリ７５から捕虫器１０に延びるワイヤ６１が掛け回される一対のガイドプーリ９８とを備えている。なお、ワイヤ６１における捕虫器１０から所定距離離れた位置に、昇降ストッパ６１Ａが取り付けられている。支持アーム９７は、同図中左右方向に伸縮可能なテレスコピック構造とされ、常時は図示しない付勢手段により伸長する方向の付勢力が付与されている。
【００２９】
また、前記支持装置１１において、ワイヤ６１及び昇降手段６２を省略した構成としてもよく、かかる構成によっても、捕虫器１０や虫の死骸の床面への落下を受け部材６３によって回避することができる。
【符号の説明】
【００３０】
１０  捕虫器
１１  支持装置
６１  ワイヤ（吊持部材）
６２  昇降手段
６３  受け部材
７６  迂回手段
【図１】
2011160699.tif 000003
【図２】
2011160699.tif 000004
【図３】
2011160699.tif 000005
【図４】
2011160699.tif 000006
【図５】
2011160699.tif 000007